(57)【要約】【課題】環境の変化に柔軟に対応し、且つ的確に解析される使用環境に応じた印刷をする画像形成装置を提供する。【解決手段】画像形成装置５は、解析部５１０１と、設定部５１０２と、ジョブ管理部５１０３との機能を含む。解析部５１０１は、使用条件情報に基づき、印刷物の使用環境情報を解析する。使用条件情報は、印刷物を見るユーザーを取り巻く周囲の状況を示すものである。設定部５１０２は、印刷物の使用環境情報に基づき、印刷物の印刷設定情報を設定する。ジョブ管理部５１０３は、印刷設定情報に基づき、印刷物を出力させる。【選択図】図４
2018199270.tif 000002
【特許請求の範囲】
【請求項１】
端末と各種情報を送受信する画像形成装置であって、
用紙に画像を形成する画像形成部と、
前記端末から送信される少なくとも２つの使用条件情報を受信する通信部と、
前記通信部から受信される前記使用条件情報に基づき、前記画像形成部を制御する制御部と、
を備え、
前記使用条件情報は、
前記画像形成部により前記用紙に前記画像が形成されて出力される印刷物を見るユーザーを取り巻く周囲の状況を示すものであり、
前記制御部は、
前記通信部から受信される前記使用条件情報に基づき、前記印刷物の使用環境情報を解析する解析部と、
前記解析部により解析される前記印刷物の使用環境情報に基づき、前記印刷物の印刷設定情報を設定する設定部と、
前記設定部により設定される前記印刷設定情報に基づき、前記印刷物を出力させるジョブ管理部と、
を備える、
画像形成装置。
【請求項２】
前記使用条件情報は、
前記印刷物を見るユーザーの場所及び日時の少なくとも１つが指定されたものである、
請求項１に記載の画像形成装置。
【請求項３】
前記ジョブ管理部は、
前記使用環境情報を、前記印刷設定情報に関連付ける、
請求項１又は２に記載の画像形成装置。
【請求項４】
前記設定部は、
前記解析部により解析される前記使用環境情報の更新に応じて、前記印刷設定情報を更新する、
請求項１〜３の何れか一項に記載の画像形成装置。
【請求項５】
前記解析部は、
前記通信部が、前記使用条件情報として、前記印刷物を見るユーザーの傾き情報を受信する場合、前記傾き情報に基づき、前記使用環境情報を解析し、
前記設定部は、
前記解析部により解析される前記使用環境情報が前記傾き情報に基づくものである場合、前記傾き情報に応じて前記印刷設定情報における前記用紙の種類を変更する、
請求項１〜４の何れか一項に記載の画像形成装置。
【請求項６】
前記解析部は、
前記通信部が、前記使用条件情報として、前記印刷物を見るユーザーがいる場所の明るさ情報を受信する場合、前記明るさ情報に基づき、前記使用環境情報を解析し、
前記設定部は、
前記解析部により解析される前記使用環境情報が前記明るさ情報に基づくものである場合、前記明るさ情報に応じて前記印刷設定情報における前記画像の色を変更する、
請求項１〜５の何れか一項に記載の画像形成装置。
【請求項７】
前記解析部は、
前記通信部が、前記使用条件情報として、前記印刷物を見るユーザーがいる場所の現在の天気情報を受信する場合、前記天気情報に基づき、前記使用環境情報を解析し、
前記設定部は、
前記解析部により解析される前記使用環境情報が前記天気情報に基づくものである場合、前記天気情報に応じて前記印刷設定情報における前記用紙の種類を変更する、
請求項１〜６の何れか一項に記載の画像形成装置。
【請求項８】
前記解析部は、
前記通信部が、前記使用条件情報として、前記印刷物を見るユーザーがいる場所の風速情報を受信する場合、前記風速情報に基づき、前記使用環境情報を解析し、
前記設定部は、
前記解析部により解析される前記使用環境情報が前記風速情報に基づくものである場合、前記風速情報に応じて前記印刷設定情報における前記用紙の種類及び前記用紙の製本設定の少なくとも一方を変更する、
請求項１〜７の何れか一項に記載の画像形成装置。
【請求項９】
前記解析部は、
前記通信部が、前記使用条件情報として、前記印刷物を見るユーザーがいる場所の天気予報情報を受信する場合、前記天気予報情報に基づき、前記使用環境情報を解析し、
前記設定部は、
前記解析部により解析される前記使用環境情報が前記天気予報情報に基づくものである場合、前記天気予報情報に応じて前記印刷設定情報における前記用紙の種類、前記画像の色、及び前記用紙の製本設定の少なくとも１つを変更する、
請求項１〜８の何れか一項に記載の画像形成装置。
【請求項１０】
前記印刷物を見るユーザーの操作を受け付ける操作パネル、
をさらに備え、
前記ジョブ管理部は、
前記操作パネルにより受け付けられる前記操作に応じて、前記操作により特定される前記使用環境情報を、前記印刷設定情報に関連付ける、
請求項１〜９の何れか一項に記載の画像形成装置。
【発明の詳細な説明】
【技術分野】
【０００１】
本開示は、画像形成装置に関する。
【背景技術】
【０００２】
従来、無線タグに含まれている印刷条件を読み取ることにより、ユーザーの希望に合った印刷を行うものが提案されている（例えば、特許文献１参照）。また、ＧＰＳから取得する位置情報に基づき、標高に適した制御を行うものが提案されている（例えば、特許文献２参照）。
【先行技術文献】
【特許文献】
【０００３】
【特許文献１】特開２００４−１９９４７１号公報
【特許文献２】特開２０１４−２０２８８６号公報
【発明の概要】
【発明が解決しようとする課題】
【０００４】
しかし、特許文献１に記載のような従来技術は、印刷条件が、印刷物の使用目的ごとに固定的なテンプレートであって、無線タグを構成するＩＣチップに予め記憶されていなければならないものである。例えば、無線タグから読み込まれる印刷条件の一部の変更を希望する場合、ユーザーは印刷条件設定メニュー等を介して適宜指定する必要がある。よって、特許文献１に記載のような従来技術は、無線タグが必要なものであり、ユーザーによる手動修正がなければ環境の変化に柔軟に対応できるものではない。
【０００５】
また、特許文献２に記載のような従来技術は、ＧＰＳから取得する位置情報に基づく制御であって、使用環境が１つのパラメータで解析されている。しかし、使用環境は、複数のパラメータで的確に解析されるものである。例えば、同じ標高であっても、室内と室外とでは使用環境は大きく異なるものとなるが、特許文献２に記載のような従来技術は、室内と室外とを区別せずに使用環境を特定するため、解析される使用環境は的確なものとはならない恐れがある。
【０００６】
本開示はこのような状況に鑑みてなされたものであり、環境の変化に柔軟に対応し、且つ的確に解析される使用環境に応じた印刷をすることができるようにするものである。
【課題を解決するための手段】
【０００７】
本開示の一側面である画像形成装置は、端末と各種情報を送受信する画像形成装置であって、用紙に画像を形成する画像形成部と、前記端末から送信される少なくとも２つの使用条件情報を受信する通信部と、前記通信部から受信される前記使用条件情報に基づき、前記画像形成部を制御する制御部と、を備え、前記使用条件情報は、前記画像形成部により前記用紙に前記画像が形成されて出力される印刷物を見るユーザーを取り巻く周囲の状況を示すものであり、前記制御部は、前記通信部から受信される前記使用条件情報に基づき、前記印刷物の使用環境情報を解析する解析部と、前記解析部により解析される前記印刷物の使用環境情報に基づき、前記印刷物の印刷設定情報を設定する設定部と、前記設定部により設定される前記印刷設定情報に基づき、前記印刷物を出力させるジョブ管理部と、を備える。
【０００８】
また、前記使用条件情報は、前記印刷物を見るユーザーの場所及び日時の少なくとも１つが指定されたものである、ことが好ましい。
【０００９】
また、前記ジョブ管理部は、前記使用環境情報を、前記印刷設定情報に関連付ける、ことが好ましい。
【００１０】
また、前記設定部は、前記解析部により解析される前記使用環境情報の更新に応じて、前記印刷設定情報を更新する、ことが好ましい。
【００１１】
また、前記解析部は、前記通信部が、前記使用条件情報として、前記印刷物を見るユーザーの傾き情報を受信する場合、前記傾き情報に基づき、前記使用環境情報を解析し、前記設定部は、前記解析部により解析される前記使用環境情報が前記傾き情報に基づくものである場合、前記傾き情報に応じて前記印刷設定情報における前記用紙の種類を変更する、ことが好ましい。
【００１２】
また、前記解析部は、前記通信部が、前記使用条件情報として、前記印刷物を見るユーザーがいる場所の明るさ情報を受信する場合、前記明るさ情報に基づき、前記使用環境情報を解析し、前記設定部は、前記解析部により解析される前記使用環境情報が前記明るさ情報に基づくものである場合、前記明るさ情報に応じて前記印刷設定情報における前記画像の色を変更する、ことが好ましい。
【００１３】
また、前記解析部は、前記通信部が、前記使用条件情報として、前記印刷物を見るユーザーがいる場所の現在の天気情報を受信する場合、前記天気情報に基づき、前記使用環境情報を解析し、前記設定部は、前記解析部により解析される前記使用環境情報が前記天気情報に基づくものである場合、前記天気情報に応じて前記印刷設定情報における前記用紙の種類を変更する、ことが好ましい。
【００１４】
また、前記解析部は、前記通信部が、前記使用条件情報として、前記印刷物を見るユーザーがいる場所の風速情報を受信する場合、前記風速情報に基づき、前記使用環境情報を解析し、前記設定部は、前記解析部により解析される前記使用環境情報が前記風速情報に基づくものである場合、前記風速情報に応じて前記印刷設定情報における前記用紙の種類及び前記用紙の製本設定の少なくとも一方を変更する、ことが好ましい。
【００１５】
また、前記解析部は、前記通信部が、前記使用条件情報として、前記印刷物を見るユーザーがいる場所の天気予報情報を受信する場合、前記天気予報情報に基づき、前記使用環境情報を解析し、前記設定部は、前記解析部により解析される前記使用環境情報が前記天気予報情報に基づくものである場合、前記天気予報情報に応じて前記印刷設定情報における前記用紙の種類、前記画像の色、及び前記用紙の製本設定の少なくとも１つを変更する、ことが好ましい。
【００１６】
また、前記印刷物を見るユーザーの操作を受け付ける操作パネル、をさらに備え、前記ジョブ管理部は、前記操作パネルにより受け付けられる前記操作に応じて、前記操作により特定される前記使用環境情報を、前記印刷設定情報に関連付ける、ことが好ましい。
【発明の効果】
【００１７】
本開示の一側面によれば、環境の変化に柔軟に対応し、且つ的確に解析される使用環境に応じた印刷をすることができる。
【図面の簡単な説明】
【００１８】
【図１】本開示を適用した画像形成システム１の構成例を示す図である。
【図２】端末３のハードウェア構成例を示す図である。
【図３】画像形成装置５のハードウェア構成例を示す図である。
【図４】画像形成装置５のソフトウェア構成例を示す図である。
【図５】端末３の環境設定例を示す図である。
【図６】印刷ジョブのデータ構造例を示す図である。
【図７】使用環境判定テーブル例を示す図である。
【図８】変更情報決定テーブル例を示す図である。
【図９】操作パネル５１２の一例を示す図である。
【図１０】端末３及び画像形成装置５のそれぞれの制御例を説明するフローチャートである。
【図１１】使用環境情報を解析する解析処理を説明するフローチャートである。
【発明を実施するための形態】
【００１９】
以下、図面に基づいて本開示の実施形態を説明するが、本開示は以下の実施形態に限られるものではない。なお、本開示の実施形態の説明で使用されているように、「構成する」、「より成る」、「含む」、「含んでいる」、「有する」、「備える」又はそれらの他の何らかの同義語は、非排他的な包含関係をカバーするように意図される。例えば、要素の列挙を含むプロセス、方法、物品又は装置は、それらの要素だけに限定されることは必須でなく、明示的には列挙されていない又は本来備わっているはずの他の要素が、そのようなプロセス、方法、物品又は装置に含まれてもよい。さらに、明示的に言及しない限り、「又は」は包括的なものであり、排他的な和ではない。例えば、「条件Ａ又はＢ」は、Ａが存在し且つＢが存在しない場合、Ａが存在せず且つＢが存在する場合、ＡもＢも両方とも存在する場合の何れの場合でも満たされるものである。
【００２０】
本開示はここで説明される処理を実行する装置にも関連している。その装置は、必要な目的に応じて特別に構築されてもよいし、コンピュータに格納されているコンピュータプログラムによって選択的にアクティブにされる又は再構成される汎用コンピュータで構築されてもよい。
【００２１】
また、ここで説明されるアルゴリズムは、特定のコンピュータその他の装置のどれにも固有に関連するものではない。さまざまな汎用システムがここで教示するものによるプログラムと共に使用されてよく、又は、必要な方法ステップを実行するように、よりいっそう特化した装置を構築することが便利なことが分かるかもしれない。これらさまざまなシステムに必要な構造は以下の説明から明らかになるであろう。さらに、本開示は特定のプログラミング言語のどれにも依存しない。ここで説明される本開示の教示内容を実現するのにさまざまなプログラミング言語が使用されてよいことが分かるであろう。
【００２２】
図１は、本開示を適用した画像形成システム１の構成例を示す図である。図１に示すように、画像形成システム１は、端末３及び画像形成装置５が通信媒体を介して相互に接続され、各種情報を送受信する。画像形成システム１は、端末３と、画像形成装置５とのそれぞれが近距離通信機能を有し、互いに通信可能である。端末３及び画像形成装置５は、通信媒体を介して、ＩＥＥＥ８０２．１１等の規格による無線通信網、又はＢｌｕｅｔｏｏｔｈ（登録商標）等の規格による近距離無線通信網を構成するものである。
【００２３】
画像形成システム１は、ユーザーに所持される端末３により生成される印刷ジョブが画像形成装置５に送信される。印刷ジョブは、詳細については後述するが、印刷設定情報と、文書情報と、使用環境情報と、を含む。使用環境情報は、ユーザーを取り巻く状況ごとに異なる。例えば、環境（Ｂ）から移動（１）にてユーザーが環境（Ａ）に移動した場合、使用環境情報は、環境（Ａ）の状況に基づくものとなる。移動（２−１）にてユーザーが環境（Ａ）から環境（Ｂ）に移動した場合及び移動（２−２）にて環境（Ａ）から環境（Ｃ）に移動した場合の何れの場合も同様である。印刷設定情報は、使用環境情報に応じて変更されるため、文書情報を含む印刷物は、使用環境情報に応じて異なる出力形態となり得る。以下、その詳細について説明する。
【００２４】
図２は、端末３のハードウェア構成例を示す図である。端末３は、ユーザーに所持されるものである。端末３は、ＣＰＵ３１１、メモリコントローラー３１２、ネットワークインターフェース３１３、周辺インターフェース３１４、メインメモリ３１５、不揮発メモリ３１６、外部ポート３１７、Ｉ／Ｏサブシステム３１８、及びセンサー部３１９がバス３０１を介して相互に接続されている。ＣＰＵ３１１、メインメモリ３１５、及び不揮発メモリ３１６は、メインメモリ３１５又は不揮発メモリ３１６に記憶されている複数のプログラムを含む制御モジュールと共に、制御部３１０を構成するものである。ＣＰＵ３１１及び周辺インターフェース３１４によるメインメモリ３１５又は不揮発メモリ３１６へのアクセスは、メモリコントローラー３１２により制御することができる。
【００２５】
ＣＰＵ３１１は、１つ以上のコアが集積されたものであり、コア数に応じて複数の論理プロセッサが構成可能なものであって、端末３全体を制御するものである。コアは、演算処理を行うための論理回路及びキャッシュメモリを有する。メインメモリ３１５は、例えば、ＲＡＭ（Ｒａｎｄｏｍ  Ａｃｃｅｓｓ  Ｍｅｍｏｒｙ）により構成され、ＣＰＵ３１１により実行される制御モジュール及び各種データを一時的に記憶するものである。不揮発メモリ３１６は、例えば、ＲＯＭ（Ｒｅａｄ  Ｏｎｌｙ  Ｍｅｍｏｒｙ）又はＳＳＤ（Ｓｏｌｉｄ  Ｓｔａｔｅ  Ｄｒｉｖｅ）により構成され、ＯＳ（Ｏｐｅｒａｔｉｎｇ  Ｓｙｓｔｅｍ）、システム制御モジュールを含む各種制御モジュール及び各種データを記憶するものである。
【００２６】
周辺インターフェース３１４は、端末３への入力及び出力周辺機器をＣＰＵ３１１、メインメモリ３１５、及び不揮発メモリ３１６に結合する。Ｉ／Ｏサブシステム３１８は、タッチ感知ディスプレイシステム３１８１を周辺インターフェース３１４に結合する。タッチ感知ディスプレイシステム３１８１は、端末３とユーザーとの間の入力インターフェース及び出力インターフェースを構成する。外部ポート３１７は、ユニバーサルシリアルバスのようなものであって、外部機器と、周辺インターフェース３１４とを結合する。ネットワークインターフェース３１３は、イーサネット（登録商標）等の規格によるネットワーク通信網若しくはＩＥＥＥ８０２．１１等の規格による無線通信網に接続する機能を有するインターフェース、又はＢｌｕｅｔｏｏｔｈ（登録商標）等の規格による近距離無線通信網に接続する機能を有するインターフェースが用いられるものである。センサー部３１９は、周辺インターフェース３１４を介して、検知結果をＣＰＵ３１１に出力する。センサー部３１９は、ＧＰＳセンサー３１９１、加速度センサー３１９２、ジャイロセンサー３１９３、及び照度センサー３１９４を備える。ＧＰＳセンサー３１９１は、ＧＰＳ衛星から緯度情報及び経度情報を検知する。加速度センサー３１９２は、端末３の加速度情報を検知する。ジャイロセンサー３１９３は、端末３の三次元座標情報を検知する。照度センサー３１９４は、端末３周囲の照度を検知する。
【００２７】
図３は、画像形成装置５のハードウェア構成例を示す図である。画像形成装置５は、ＣＰＵ５１１、操作パネル５１２、ネットワーク部５１３、通信部５１４、メインメモリ５１５、ＨＤＤ５１６、画像読取部５１７、及び画像形成部５１８がバス５０１を介して相互に接続されている。ＣＰＵ５１１、メインメモリ５１５、及びＨＤＤ５１６は、メインメモリ５１５又はＨＤＤ５１６に記憶されている複数のプログラムを含む制御モジュールと共に、制御部５１０を構成するものである。メインメモリ５１５及びＨＤＤ５１６は、制御部５１０の記憶部５２１として機能するものである。
【００２８】
ＣＰＵ５１１は、１つ以上のコアが集積されたものであり、コア数に応じて複数の論理プロセッサが構成可能なものであって、画像形成装置５全体を制御するものである。コアは、演算処理を行うための論理回路及びキャッシュメモリを有する。メインメモリ５１５は、例えば、ＲＡＭ（Ｒａｎｄｏｍ  Ａｃｃｅｓｓ  Ｍｅｍｏｒｙ）により構成され、ＣＰＵ５１１により実行される制御モジュール及び各種データを一時的に記憶するものである。ＨＤＤ５１６は、ＯＳ（Ｏｐｅｒａｔｉｎｇ  Ｓｙｓｔｅｍ）、システム制御モジュール及びメカ制御モジュールを含む各種制御モジュール及び各種データを記憶するものである。
【００２９】
操作パネル５１２は、ユーザーの操作を受け付けるものであり、又はユーザーの操作内容に関連する情報を表示するものである。操作パネル５１２は、例えば、タッチパネル付き液晶ディスプレイ又は各種キーにより構成される。ネットワーク部５１３は、イーサネット（登録商標）等の規格によるネットワーク通信網に接続する機能を有するインターフェースが用いられる。通信部５１４は、ＩＥＥＥ８０２．１１等の規格による無線通信網に接続する機能を有するインターフェース又はＢｌｕｅｔｏｏｔｈ（登録商標）等の規格による近距離無線通信網に接続する機能を有するインターフェースが用いられる。
【００３０】
画像読取部５１７は、例えばスキャナーであり、原稿台の予め設定された読み取り位置にセットされた原稿に蛍光ランプ等の光源で光を当て、その反射光をＣＣＤ（Ｃｈａｒｇｅ―Ｃｏｕｐｌｅｄ  Ｄｅｖｉｃｅ）イメージセンサー等の撮像装置で光電変換し、その電気信号から画像データを生成するものである。画像形成部５１８は、例えば印刷エンジンであり、電子写真方式により帯電、露光、現像、転写、及び定着の各工程を経て、画像データに基づく画像を用紙に形成し、印刷物として出力するものである。
【００３１】
図４は、画像形成装置５のソフトウェア構成例を示す図である。図５は、端末３の環境設定例を示す図である。図６は、印刷ジョブのデータ構造例を示す図である。図７は、使用環境判定テーブル例を示す図である。図８は、変更情報決定テーブル例を示す図である。図９は、操作パネル５１２の一例を示す図である。制御部５１０が各種制御モジュールを実行することにより、図４に示すように、制御部５１０は、解析部５１０１、設定部５１０２、及びジョブ管理部５１０３として機能する。すなわち、制御部５１０を、解析部５１０１、設定部５１０２、及びジョブ管理部５１０３として機能させる制御モジュールが、ＣＰＵ５１１で実行される。
【００３２】
解析部５１０１は、通信部５１４から受信される少なくとも２つの使用条件情報に基づき、印刷物の使用環境情報を解析する。使用条件情報は、画像形成部５１８により用紙に画像が形成されて出力される印刷物を見るユーザーを取り巻く周囲の状況を示すものである。使用条件情報は、例えば、場所、天気、気温、降水量、湿度、風速、照度、及び傾き等で表現されるものである。具体的には、使用条件情報（１）には、例えば、ユーザーが印刷物を見る場所として、屋内及び屋外の何れか一方を示す情報が関連付けられればよい。また、使用条件情報（２）には、例えば、ユーザーが印刷物を見る場所の天気情報が関連付けられればよい。気温等の他の情報についても同様である。なお、使用条件情報は、印刷物を見るユーザーの場所及び日時の少なくとも１つが指定されたものであることが好ましい。
【００３３】
解析部５１０１は、通信部５１４が、使用条件情報として、印刷物を見るユーザーの傾き情報を受信する場合、傾き情報に基づき、使用環境情報を解析する。例えば、ユーザーが所持する端末３は、加速度センサー３１９２及びジャイロセンサー３１９３を備える。よって、端末３の傾きは、加速度センサー３１９２及びジャイロセンサー３１９３により検知され、検知結果は、図５に示すような連動アプリにより端末３から画像形成装置５に送信可能である。連動アプリは、端末３が検知する各種情報から使用条件情報を読み込んだものを印刷ジョブに含ませて画像形成装置５に送信することも可能である。なお、傾き情報は、端末３が検知するものだけではなく、例えば、加速度センサー３１９２又はＧＰＳセンサー３１９１のような傾き情報を検知可能なセンサーを搭載した腕時計による検知結果が、画像形成装置５に送信されてもよい。
【００３４】
解析部５１０１は、通信部５１４が、使用条件情報として、印刷物を見るユーザーがいる場所の明るさ情報を受信する場合、明るさ情報に基づき、使用環境情報を解析する。例えば、ユーザーが所持する端末３は、照度センサー３１９４を備える。よって、端末３の周囲の明るさは、照度センサー３１９４により検知され、検知結果は、上記と同様に、図５に示すような連動アプリにより端末３から画像形成装置５に送信可能である。なお、明るさ情報は、端末３が検知するものだけでなく、例えば、照度センサー３１９４を搭載した機器による検知結果がパーソナルコンピュータ等のような画像形成装置５と通信可能な機器により画像形成装置５に送信されてもよい。
【００３５】
解析部５１０１は、通信部５１４が、使用条件情報として、印刷物を見るユーザーがいる場所の現在の天気情報を受信する場合、天気情報に基づき、使用環境情報を解析する。印刷物を見るユーザーがいる場所の現在の天気情報は、例えば、ＸバンドＭＰレーダによる雨量情報を受信すればよい。具体的には、ＸバンドＭＰレーダによる雨量情報を受信可能なアプリを端末３にインストールし、そのアプリにより取得される雨量情報が画像形成装置５に送信されればよい。なお、天気情報は、ＸバンドＭＰレーダによる雨量情報だけでなく、例えば、雨センサーによる検知結果がパーソナルコンピュータ等のような画像形成装置５と通信可能な機器により画像形成装置５に送信されてもよい。
【００３６】
解析部５１０１は、通信部５１４が、使用条件情報として、印刷物を見るユーザーがいる場所の風速情報を受信する場合、風速情報に基づき、使用環境情報を解析する。印刷物を見るユーザーがいる場所の風速情報は、例えば、風速計の検知結果をパーソナルコンピュータ等のような画像形成装置５と通信可能な機器により画像形成装置５に送信されればよい。なお、風速情報は、風速計による検知結果だけでなく、風速情報を取得可能なアプリを端末３にインストールし、そのアプリにより取得される風速情報が画像形成装置５に送信されればよい。
【００３７】
解析部５１０１は、通信部５１４が、使用条件情報として、印刷物を見るユーザーがいる場所の天気予報情報を受信する場合、天気予報情報に基づき、使用環境情報を解析する。印刷物を見るユーザーがいる場所の天気予報情報は、例えば、インターネット又は天気予報アプリにより取得されればよい。なお、テレビ又はラジオによる天気予報情報をユーザーが書き取り、その書き取られた天気予報情報がパーソナルコンピュータ等のような画像形成装置５と通信可能な機器により画像形成装置５に送信されてもよい。
【００３８】
設定部５１０２は、解析部５１０１により解析される印刷物の使用環境情報に基づき、印刷物の印刷設定情報を設定する。設定部５１０２は、解析部５１０１により解析される使用環境情報の更新に応じて、印刷設定情報を構成する。具体的には、解析部５１０１は、環境解析部５１０１Ａと、変更値決定部５１０１Ｂと、を備える。環境解析部５１０１Ａは、使用条件情報と、図７に示すような使用環境判定テーブルと、印刷ジョブと、に基づき、使用条件情報の組み合わせを決定し、決定した使用条件情報の組み合わせから特定される使用環境情報に基づき、解析結果情報を求める。使用環境判定テーブルは、判定対象指標ｎと、カテゴリーと、選択情報と、を含み、それぞれが関連付いている。判定対象指標ｎは、例えば、１を起点として昇順する自然数であって、カテゴリーと、選択情報とを一意に関連付ける指標である。カテゴリーは、それぞれの使用条件情報と対応するものであって、具体的には、場所、天気、気温、降水量、湿度、風速、照度、及び傾き等である。選択情報は、それぞれのカテゴリーの具体的な内容を一意に特定するものである。例えば、カテゴリーが場所である場合、選択情報は、屋内及び屋外である。
【００３９】
使用環境情報は、複数の使用条件情報から構成されるものであって、例えば、ユーザーが印刷物を見る場所の情報、場所が屋外であるという情報、及び気温が３８度という情報等から構成される。解析結果情報は、使用環境情報を構成する複数の使用条件情報を論理式で特定したものであり、例えば、判定対象指標ｎを用いて、１＝屋外  ａｎｄ  ６＝１０ｍ以上という論理式を構成する。この場合、場所が屋外であって、且つ風速が１０ｍ以上であるという意味となる。
【００４０】
変更値決定部５１０１Ｂは、使用環境情報と、図８に示すような変更情報決定テーブルと、に基づき、使用環境情報に関連付いている印刷設定情報を変更する設定変更情報Ｘを決定する。変更情報決定テーブルは、解析結果選択情報と、変更値情報と、設定変更情報Ｘと、を含み、それぞれが関連付いている。解析結果選択情報は、環境解析部５１０１Ａで求められた解析結果情報と照合されるものであり、使用環境情報を構成する複数の使用条件情報の論理式として想定されるもののリストである。変更値情報は、解析結果選択情報で特定される論理式が真である場合、変更すべきものを示すものである。例えば、場所が屋内であり、且つ照度が３００ｌｘ未満であれば、変更値情報は、画質を鮮やかにすべきであるという内容が示されている。設定変更情報Ｘは、変更値情報に基づき印刷設定情報を変更するためのコマンドのリストである。例えば、変更値情報として、用紙種類がプラスチックであるべきであることが示されている場合、設定変更情報Ｘは、＠ＰＪＬ  ＳＥＴ  ＭＥＤＩＡＳＯＵＲＣＥ＝ＴＲＡＹ４等のような用紙種類をプラスチックにするためのコマンドが選択され、例えば、図６に示すように、印刷設定情報に組み込まれる。ただし、ＴＲＡＹ４に対応するトレイには、プラスチックから形成される記録媒体が予め置かれていることが前提となる。
【００４１】
よって、設定部５１０２は、解析部５１０１により解析される使用環境情報が傾き情報に基づくものである場合、傾き情報に応じて印刷設定情報における用紙の種類を変更する。例えば、解析結果情報が、図８に示すように、１＝屋内  ａｎｄ  ８＝０．５以上１以下に該当する場合、用紙種類を厚紙１８０ｋｇにすべきであって、コマンドとして＠ＰＪＬ  ＳＥＴＭＥＤＩＡＳＯＵＲＣＥ＝ＴＲＡＹ１のような用紙種類を厚紙１８０ｋｇにするためのコマンドが選択され、印刷設定情報に組み込まれる。ただし、ＴＲＡＹ１に対応するトレイには、厚紙１８０ｋｇに相当する記録媒体が予め置かれていることが前提となる。
【００４２】
設定部５１０２は、解析部５１０１により解析される使用環境情報が明るさ情報に基づくものである場合、明るさ情報に応じて印刷設定情報における画像の色を変更する。例えば、解析結果情報が、図８に示すように、１＝屋内  ａｎｄ  ７＝３００ｌｘ未満に該当する場合、画質を鮮やかにすべきであって、コマンドとして＠ＰＪＬ  ＳＥＴ  ＲＥＳＯＬＵＴＩＯＮ＝１２００のような画質を鮮やかにするためのコマンドが選択され、印刷設定情報に組み込まれる。
【００４３】
設定部５１０２は、解析部５１０１により解析される使用環境情報が天気情報に基づくものである場合、天気情報に応じて印刷設定情報における用紙の種類を変更する。例えば、解析結果情報が、図８に示すように、１＝屋外  ａｎｄ  （２＝雨  ｏｒ  ４≠０ｍｍ）に該当する場合、用紙種類をプラスチックにすべきであって、コマンドとして＠ＰＪＬ  ＳＥＴ  ＭＥＤＩＡＳＯＵＲＣＥ＝ＴＲＡＹ４のような用紙種類をプラスチックにするためのコマンドが選択され、印刷設定情報に組み込まれる。
【００４４】
設定部５１０２は、解析部５１０１により解析される使用環境情報が風速情報に基づくものである場合、風速情報に応じて印刷設定情報における用紙の種類及び用紙の製本設定の少なくとも一方を変更する。例えば、解析結果情報が、図８に示すように、１＝屋外  ａｎｄ  ６＝１０ｍ以上に該当する場合、ステープルで２点綴じをすべきであって、コマンドとして＠ＰＪＬ  ＳＥＴ  ＯＵＴＢＩＮ＝ＳＴＡＰＬＥＲ及び＠ＰＪＬ  ＳＥＴ  ＳＴＡＰＬＥ−ＭＯＤＥ＝ＭＩＤＬＥＦＴのようなステープルで２点綴じをするためのコマンドが選択され、印刷設定情報に組み込まれる。なお、上記コマンドは、ステープルにより用紙の２箇所左綴じをさせるコマンドであるが、別の箇所であってもよい。
【００４５】
設定部５１０２は、解析部５１０１により解析される使用環境情報が天気予報情報に基づくものである場合、天気予報情報に応じて印刷設定情報における用紙の種類、画像の色、及び用紙の製本設定の少なくとも１つを変更する。なお、上記で説明したコマンドは一例であって、環境の変化に柔軟に対応し、且つ的確に解析される使用環境に応じた印刷をすることができるのであれば、他のコマンドであってもよい。
【００４６】
ジョブ管理部５１０３は、設定部５１０２により設定される印刷設定情報に基づき、印刷物を出力させる。ジョブ管理部５１０３は、使用環境情報を、印刷設定情報に関連付ける。ジョブ管理部５１０３は、操作パネル５１２により受け付けられる操作に応じて、操作により特定される使用環境情報を、印刷設定情報に関連付ける。例えば、図９に示すように、操作パネル５１２は、パネル５１２１、スタートボタン５１２２、及び操作ボタン５１２３を備える。パネル５１２１は、上記で説明したように、例えば、タッチパネル付き液晶ディスプレイから構成されている。パネル５１２１は、例えば、使用環境情報のための問い合わせ内容５１２９が表示される。問い合わせ内容５１２９は、例えば、主項目５１２１５、副項目５１２１４、副項目５１２１３、アイコン５１２１１、及びアイコン５１２１２を含む。アイコン５１２１１は、ＯＫボタンに相当する操作子である。アイコン５１２１２は、Ｃａｎｃｅｌボタンに相当する操作子である。主項目５１２１５は、使用環境判定テーブルの特定に利用する項目であって、例えば、日時及び場所である。副項目５１２１４は、主項目５１２１５を具体的に特定する項目であって、例えば、日時が特定されている。副項目５１２１３は、主項目５１２１５を具体的に特定する項目であって、例えば、住所が特定されている。
【００４７】
図９において、アイコン５１２１１が操作された場合、画像形成装置５は、インターネット経由で、副項目５１２１４及び副項目５１２１３に対応する天気予報情報の問い合わせを実行する。画像形成装置５は、スタートボタン５１２２が押下され、且つ問い合わせ内容５１２９を受信すると、天気予報情報を含む使用環境情報を印刷設定情報に関連付け、その印刷設定情報を含む印刷ジョブの実行を開始する。なお、問い合わせ内容５１２９の画面は、端末３又は不図示のパーソナルコンピュータで表示可能であってもよい。
【００４８】
また、例えば、操作パネル５１２を操作するとき、ユーザー認証が要求されるものであれば、ログイン中は、ユーザー認証されたユーザーＩＤで操作が受け付けられている。この場合、ユーザー認証されたユーザーＩＤと同じユーザーＩＤを含む印刷ジョブを関連付け、さらに、その関連付けられた印刷ジョブに含まれる印刷設定情報と、操作パネル５１２の操作により決定された使用環境情報とが関連付けられればよい。
【００４９】
図１０は、端末３及び画像形成装置５のそれぞれの制御例を説明するフローチャートである。図１１は、使用環境情報を解析する解析処理を説明するフローチャートである。端末３は、ステップＳ１１〜ステップＳ１９の処理を実行するものである。制御部５１０は、通信部５１４から受信される使用条件情報に基づき、画像形成部５１８を制御するものであって、ステップＳ３１〜ステップＳ４２の処理を実行するものである。
【００５０】
ステップＳ１１において、制御部３１０は、ＯＳから呼び出しを受けたか否かを判定する。制御部３１０は、ＯＳから呼び出しを受けたと判定する場合（ステップＳ１１；Ｙ）、ステップＳ１２の処理に移行し、ステップＳ１２において、連動アプリを実行する。制御部３１０は、ＯＳから呼び出しを受けないと判定する場合（ステップＳ１１；Ｎ）、ステップＳ１１の処理を継続する。ステップＳ１３において、制御部３１０は、ＯＳから終了指示を受けたか否かを判定する。制御部３１０は、ＯＳから終了指示を受けたと判定する場合（ステップＳ１３；Ｙ）、処理を終了する。制御部３１０は、ＯＳから終了指示を受けていないと判定する場合（ステップＳ１３；Ｎ）、ステップＳ１４の処理に移行する。ステップＳ１４において、制御部３１０は、印刷指示を受けたか否かを判定する。制御部３１０は、印刷指示を受けたと判定する場合（ステップＳ１４；Ｙ）、ステップＳ１５の処理に移行する。制御部３１０は、印刷指示を受けていないと判定する場合（ステップＳ１４；Ｎ）、処理を終了する。ステップＳ１５において、制御部３１０は、印刷設定情報を読み込む。ステップＳ１６において、制御部３１０は、文書情報を読み込む。ステップＳ１７において、制御部３１０は、連動アプリから使用条件情報を読み込む。ステップＳ１８において、制御部３１０は、印刷ジョブを生成する。ステップＳ１９において、制御部３１０は、印刷ジョブを画像形成装置５に送信し、処理を終了する。
【００５１】
ステップＳ３１において、制御部５１０は、印刷ジョブを受信したか否かを判定する。制御部５１０は、印刷ジョブを受信したと判定する場合（ステップＳ３１；Ｙ）、ステップＳ３２の処理に移行し、ステップＳ３２において、印刷ジョブを解析する。制御部５１０は、印刷ジョブを受信しないと判定する場合（ステップＳ３１；Ｎ）、ステップＳ３１の処理を継続する。ステップＳ３３において、制御部５１０は、文書情報をラスタライズする。ステップＳ３４において、制御部５１０は、印刷設定情報を設定する。ステップＳ３５において、制御部５１０は、解析処理を実行する。なお、解析処理の詳細については後述する。
【００５２】
ステップＳ３６において、制御部５１０は、解析処理で求められた設定変更情報Ｘに基づき、印刷設定情報を変更する。ステップＳ３７において、制御部５１０は、印刷を開始させる。ステップＳ３８において、制御部５１０は、印刷を終了させる。ステップＳ３９において、制御部５１０は、待機状態に移行するか否かを判定する。制御部５１０は、待機状態に移行すると判定する場合（ステップＳ３９；Ｙ）、ステップＳ４０の処理に移行し、ステップＳ４０において、電力を待機状態に設定し、ステップＳ３１の処理に戻る。制御部５１０は、待機状態に移行しないと判定する場合（ステップＳ３９；Ｎ）、ステップＳ４１の処理に移行する。ステップＳ４１において、制御部５１０は、シャットダウンするか否かを判定する。制御部５１０は、シャットダウンすると判定する場合（ステップＳ４１；Ｙ）、ステップＳ４２の処理に移行し、ステップＳ４２において、シャットダウンを実行し、処理を終了する。制御部５１０は、シャットダウンしないと判定する場合（ステップＳ４１；Ｎ）、ステップＳ３１の処理に戻る。
【００５３】
ステップＳ５１において、制御部５１０は、使用条件情報にＧＰＳ情報が含まれるか否かを判定する。制御部５１０は、使用条件情報にＧＰＳ情報が含まれると判定する場合（ステップＳ５１；Ｙ）、ステップＳ５５の処理に移行する。制御部５１０は、使用条件情報にＧＰＳ情報が含まれないと判定する場合（ステップＳ５１；Ｎ）、ステップＳ５２の処理に移行する。ステップＳ５２において、制御部５１０は、使用条件情報に印刷物を使用する目的地が含まれるか否かを判定する。制御部５１０は、使用条件情報に印刷物を使用する目的地が含まれると判定する場合（ステップＳ５２；Ｙ）、ステップＳ５３の処理に移行し、ステップＳ５３において、目的地から場所を特定し、ステップＳ５６の処理に移行する。制御部５１０は、使用条件情報に印刷物を使用する目的地が含まれないと判定する場合（ステップＳ５２；Ｎ）、ステップＳ５４の処理に移行し、ステップＳ５４において、文書情報から場所を特定し、ステップＳ５６の処理に移行する。なお、文書情報から場所を特定する場合、文書情報に構文解析及び意味解析等を実行し、文書情報に含まれる文言から場所を特定すればよい。
【００５４】
ステップＳ５５において、制御部５１０は、ＧＰＳ情報を解析し、場所を特定する。ステップＳ５６において、制御部５１０は、判定対象指標ｎに１を設定する。ステップＳ５７において、制御部５１０は、特定した場所に基づき、判定対象指標ｎに関連する選択情報を選択する。ステップＳ５８において、制御部５１０は、判定対象指標ｎをインクリメントする。ステップＳ５９において、制御部５１０は、判定対象指標ｎに関連する使用条件情報があるか否かを判定する。制御部５１０は、判定対象指標ｎに関連する使用条件情報があると判定する場合（ステップＳ５９；Ｙ）、ステップＳ６０の処理に移行し、ステップＳ６０において、使用条件情報から判定対象指標ｎに関連する選択情報を選択し、ステップＳ５９の処理に戻る。制御部５１０は、判定対象指標ｎに関連する使用条件情報がないと判定する場合（ステップＳ５９；Ｎ）、ステップＳ６１の処理に移行する。ステップＳ６１において、制御部５１０は、選択した選択情報に基づき、使用環境情報及び解析結果情報を求める。ステップＳ６２において、制御部５１０は、使用環境情報と、解析結果情報と、変更情報決定テーブルと、に基づき、設定変更情報Ｘを決定し、解析処理を終了し、上記で説明したステップＳ３６の処理に移行する。
【００５５】
以上の説明から、本開示を適用した画像形成装置５は、端末３から送信される少なくとも２つの使用条件情報に基づき、用紙に画像が形成されて出力される印刷物の使用環境情報を解析する。解析される印刷物の使用環境情報に基づき、印刷物の印刷設定情報を設定する。設定される印刷設定情報に基づき、印刷物を出力させる。よって、ユーザーによる手動修正をせずに複数の条件から解析する使用環境情報に応じて印刷設定を変更することができる。したがって、環境の変化に柔軟に対応し、且つ的確に解析される使用環境に最適な印刷をすることができる。
【００５６】
また、本開示を適用した画像形成装置５は、使用条件情報として、印刷物を見るユーザーの場所及び日時の少なくとも１つが指定される。印刷物を見るユーザーの場所が変われば、その場所に適した印刷物は異なるものとなる。例えば、屋内と屋外とでは、太陽の日照条件等が異なる。印刷物を見るユーザーの日時が変われば、その日時に適した印刷物は異なるものとなる。例えば、日中と夜間とでは、時間により温湿度環境が異なる。季節により気候が異なる環境であれば、日により温湿度環境はさらに異なる。よって、印刷物を見るユーザーの場所及び日時の少なくとも１つが使用条件情報に指定されれば、印刷物の使用環境情報を変える要因を含めることができる。
【００５７】
また、本開示を適用した画像形成装置５は、使用環境情報を、印刷設定情報に関連付けるため、印刷設定情報に使用環境情報を後から関連付けることもできる。したがって、使用環境情報に応じて異なる印刷物を生成することができる。
【００５８】
また、本開示を適用した画像形成装置５は、使用環境情報の更新に応じて、印刷設定情報を更新するため、最新の使用環境情報に応じた印刷設定情報で印刷物を出力できる。
【００５９】
また、本開示を適用した画像形成装置５は、印刷物を見るユーザーの傾き情報に基づき使用環境情報が解析される場合、その使用環境情報に応じて印刷設定情報における用紙の種類を変更する。よって、印刷物を見るユーザーの傾き状態に応じて、用紙の種類が変更されることになる。例えば、印刷物を見るユーザーが寝たきり又は病気療養中で起き上がれない状態であっても、用紙の種類を変更することによりその重力に耐えうる用紙を選択することもできる。つまり、印刷物を見るユーザーの状態に合わせて印刷物が出力されるため、個々のユーザーに適した印刷物を出力することができる。
【００６０】
また、本開示を適用した画像形成装置５は、印刷物を見るユーザーがいる場所の明るさ情報に基づき使用環境情報が解析される場合、その使用環境情報に応じて印刷設定情報における画像の色を変更する。よって、印刷物を見るユーザーがいる場所の明るさ情報に応じて、画像の色が変更されることになる。例えば、プロジェクターを用いた会議の配布資料として印刷物を見るユーザーがいる場所の明るさが暗い場合、用紙に形成される画像の色を鮮やかな色に補正することにより視認性を向上させることができる。
【００６１】
また、本開示を適用した画像形成装置５は、印刷物を見るユーザーがいる場所の現在の天気情報に基づき使用環境情報が解析される場合、その使用環境情報に応じて印刷設定情報における用紙の種類を変更する。よって、印刷物を見るユーザーがいる場所の現在の天気情報に応じて、用紙の種類が変更されることになる。例えば、印刷物を見るユーザーがいる場所の現在の天気が雨である場合、用紙の種類をプラスチック製にすることにより雨の中での使用の耐久性を向上させることができる。
【００６２】
また、本開示を適用した画像形成装置５は、印刷物を見るユーザーがいる場所の風速情報に基づき使用環境情報が解析される場合、その使用環境情報に応じて印刷設定情報における用紙の種類及び用紙の製本設定の少なくとも一方を変更する。よって、印刷物を見るユーザーがいる場所の風速情報に応じて、用紙の種類及び用紙の製本設定の少なくとも一方が変更されることになる。例えば、印刷物を見るユーザーがいる場所の風が強い場合、その風速に耐えうる用紙の種類及び２点ステープル綴じ等のような製本設定の少なくとも一方を設定することにより風が強い中での使用の耐久性を向上させることができる。
【００６３】
また、本開示を適用した画像形成装置５は、印刷物を見るユーザーがいる場所の天気予報情報に基づき使用環境情報が解析される場合、その使用環境情報に応じて印刷設定情報における用紙の種類、画像の色、及び用紙の製本設定の少なくとも１つを変更する。よって、印刷物を見るユーザーがいる場所の天気予報情報に応じて、用紙の種類、画像の色、及び用紙の製本設定の少なくとも１つが変更されることになる。例えば、印刷物が、野外コンサートのパンフレット又はオリンピックの種目毎の予定表に該当する場合、天気予報情報に応じた印刷設定情報の変更は有効である。
【００６４】
また、本開示を適用した画像形成装置５は、操作パネル５１２により受け付けられる操作に応じて、操作により特定される使用環境情報を、印刷設定情報に関連付ける。よって、使用環境情報を印刷設定情報に後から関連付けることができる。例えば、印刷物を見るユーザーがいる場所が当初の予定する場所と異なる場合に、画像形成装置５は、印刷設定情報を含む印刷ジョブを受信してから使用環境情報を後で受信したとしても、印刷ジョブに含まれる印刷設定情報に、使用環境情報を関連付けることができるため、特に顕著に環境の変化に柔軟に対応することができる。
【００６５】
以上、本開示を適用した画像形成装置５を実施形態に基づいて説明したが、本開示はこれに限定されるものではなく、本開示の趣旨を逸脱しない範囲で、変更を加えてもよい。
【００６６】
例えば、端末３から画像形成装置５に印刷ジョブが送信される一例について説明したが、有線又は無線による通信媒体を介して、不図示のパーソナルコンピュータから画像形成装置５に印刷ジョブが送信され、使用環境情報又は使用環境情報を特定する使用条件情報が端末３から画像形成装置５に送信されてもよい。
【００６７】
また、上記で説明した解析処理において、判定対象指標ｎをインクリメントする処理を用いた一例を説明したが、これに限らず、使用環境判定テーブルに含まれる判定対象指標ｎを調べる処理であればよい。
【００６８】
また、ＣＰＵ３１１が端末３全体を制御する一例について説明したが、これに限らず、複数のコアが集積されたプロセッサーから構成されるマルチコアプロセッサが端末３全体を制御するものであってもよい。
【００６９】
また、ＣＰＵ５１１が画像形成装置５全体を制御する一例について説明したが、これに限らず、複数のコアが集積されたプロセッサーから構成されるマルチコアプロセッサが画像形成装置５全体を制御するものであってもよい。
【００７０】
また、ＣＰＵ３１１が実行するプログラムを記憶する記録媒体として不揮発メモリ３１６を用いる一例について説明したが、これに限らず、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（Ｅｌｅｃｔｒｉｃａｌｌｙ  ＥＰＲＯＭ）等の半導体メモリであってもよい。
【００７１】
また、ＣＰＵ５１１が実行するプログラムを記憶する記録媒体としてＨＤＤ５１６が使用される一例について説明したが、これに限らず、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（Ｅｌｅｃｔｒｉｃａｌｌｙ  ＥＰＲＯＭ）等の半導体メモリであってもよい。
【００７２】
また、画像形成装置５の記憶部５２１が、メインメモリ５１５及びＨＤＤ５１６から構成される一例について説明したが、ＨＤＤ５１６の代わりに、例えば、ＲＯＭ（Ｒｅａｄ  Ｏｎｌｙ  Ｍｅｍｏｒｙ）又はＳＳＤ（Ｓｏｌｉｄ  Ｓｔａｔｅ  Ｄｒｉｖｅ）から構成されてもよい。
【００７３】
また、設定変更情報Ｘとして、ＰＪＬコマンドとしてＳＥＴコマンドを利用する一例について説明したが、これに限らず、他のＰＪＬコマンドであってもよい。
【００７４】
なお、上記で説明した一連の処理は、ハードウェアにより実行させることもでき、ソフトウェアにより実行させることもできる。一連の処理をソフトウェアにより実行させる場合は、そのソフトウェアを構成するプログラムが、各種のプログラムをインストールすることで、各種の機能を実行することが可能なコンピュータに、プログラムを記録する記録媒体から、又は、インターネット等を介して、インストールされるものである。
【符号の説明】
【００７５】
１  画像形成システム、３  端末、３０１  バス、３１０  制御部、３１１  ＣＰＵ
３１２  メモリコントローラー、３１３  ネットワークインターフェース
３１４  周辺インターフェース、３１５  メインメモリ、３１６  不揮発メモリ
３１７  外部ポート、３１８  Ｉ／Ｏサブシステム
３１８１  タッチ感知ディスプレイシステム、３１９  センサー部
３１９１  ＧＰＳセンサー  ３１９２  加速度センサー、３１９３  ジャイロセンサー
３１９４  照度センサー
５  画像形成装置、５０１  バス、５１０  制御部
５１０１  解析部、５１０１Ａ  環境解析部、５１０１Ｂ  変更値決定部
５１０２  設定部、５１０３  ジョブ管理部、
５１１  ＣＰＵ、５１２  操作パネル、５１２１  パネル
５１２１１，５１２１２  アイコン、５１２１３，５１２１４  副項目
５１２１５  主項目、５１２２  スタートボタン、５１２３  操作ボタン
５１２９  問い合わせ内容
５１３  ネットワーク部、５１４  通信部
５１５  メインメモリ、５１６  ＨＤＤ、５１７  画像読取部、５１８  画像形成部
５２１  記憶部
Ａ，Ｂ，Ｃ  環境、Ｘ  設定変更情報
【図１】
2018199270.tif 000003
【図２】
2018199270.tif 000004
【図３】
2018199270.tif 000005
【図４】
2018199270.tif 000006
【図５】
2018199270.tif 000007
【図６】
2018199270.tif 000008
【図７】
2018199270.tif 000009
【図８】
2018199270.tif 000010
【図９】
2018199270.tif 000011
【図１０】
2018199270.tif 000012
【図１１】
2018199270.tif 000013